(57)【要約】 【課題】 セルフ式ガソリンスタンドは、給油ノズルを取り出し、そして給油中は給油ノズルを手で保持するとともにレバーを手の指で握っていなければならない。したがって、給油ノズルやレバーは不特定多数の人が触った後に素手で使用するので気持ちが悪く不快である。給油後、車を運転しても後味が悪く爽快な気分にはなれない。【解決手段】上記課題を解決するためには、給油する人が自分の利き手に手袋を着用することである。その手袋は５指を差し込む部分において親指が入る親指袋部と人差し指が入る人差し指袋部そして中指・薬指・小指の３本の指が一体として入る３指袋部からなり、また左右両用である手袋である。給油する前にこの手袋を着用して給油ノズルの取り出しや給油中の給油ノズルの保持とレバーの操作が行われるため気持ち悪いとか不快感はなくなり、給油作業が終わった後、気持ちよく爽快な気分で車の運転ができる。【選択図】  図１
2009167577.tif 000002
【特許請求の範囲】
【請求項１】
手袋の５指を差し込む部分において親指が入る親指袋部と人差し指が入る人差し指袋部そして中指・薬指・小指の３本の指が一体として入る３指袋部から構成されていることを特徴とする手袋。
【請求項２】
前記請求項１の手袋が左右両用であることを特徴とする手袋。
【発明の詳細な説明】
【技術分野】
【０００１】
本発明は、セルフ式ガソリンスタンドで車にガソリンなどを給油する時に手を汚さないようにするための手袋に関するものである。          
【背景技術】
【０００２】
従来、ガソリンスタンドでの給油は従業員が行うフルサービスが主流であったが、近年、法律の規制緩和もありセルフ式ガソリンスタンドが登場し増加の一途にある。
しかし、日本のセルフ式ガソリンスタンドは、給油する人が給油ノズルを取り出して、車の給油口に差し入れ、給油中は給油ノズルを手で保持するとともにレバーを手の指で握っていなければ給油されないようになっている。
【特許文献１】特開２００４−２３８７９２号公報
【特許文献２】特開２００７−１５４３９９号公報
【発明の開示】
【発明が解決しようとする課題】
【０００３】
このようにセルフ式ガソリンスタンドは、給油ノズルを取り出し、そして給油中は給油ノズルを手で保持するとともにレバーを手の指で握って給油量を調節していなければならない。したがって、給油ノズルやレバーは不特定多数の人が触った後に使用するので、「ヌルヌル」した感じや「ベタベタ」した感じがあり素手で使用するには気持ちが悪く不快である。また、これだけ頻繁に使用する給油ノズルであっても従業員が定期的に拭いている姿を見たことはなくそのまま放置されていると思われる。実際には給油ノズルが汚れていると思われ細菌などの雑菌が付着している可能性が高い。給油後、車を運転しても後味が悪く爽快な気分にはなれない。特に清潔感を好む女性には嫌われる原因にもなっている。
【課題を解決するための手段】
【０００４】
上記課題を解決するため給油作業の最初に行うことは給油する人が自分の利き手に使い捨ての手袋を着用することである。そして、その手袋の形態としては下記のとおりである。
【０００５】
（イ）短時間でスムーズに手袋を着脱することが必要であり、従来の５指の手袋では着脱に時間を要しまた手間がかかるため、中指と薬指そして小指の３本の指が一体として入る３指袋部を設けた手袋で着脱時間と手間をできるだけ省くようにする。
【０００６】
（ロ）また、給油する人の手のサイズは大きい人から小さい人まで様々であるため従来の５指の手袋では各指が嵌りにくいとか大きすぎるとかの問題がある。またフリーサイズの手袋もあるがやはり指がダブダブであるとか嵌らないとかの問題が出てくる。そのため少しでもこのような問題を減らすため中指と薬指そして小指の３本の指が一体として入る３指袋部を設けた手袋とする。
【０００７】
（ハ）ガソリンスタンドで給油する人は膨大な数であり、また同じ人が何回も給油するため給油する作業は日本全体でかなりの数で行われていることになる。したがって給油する人が使用する手袋は大量生産が出来て廉価でなければならない。そのため少しでも製造コストを減らすため中指と薬指そして小指の３本の指が一体として入る３指袋部を設けた手袋とする。
【０００８】
（ニ）人の利き手は、右手の人もありまた左手の人もある。そのためどちらにも対応できるよう左右両用の手袋とする。
【０００９】
（ホ）手袋の材質は、耐久性・伸縮性・導電性・抗菌性・環境への適応性などが必要である。
【発明の効果】
【００１０】
給油する前に手袋を着用してから、車の給油口の蓋の開閉や給油ノズルの取り出しそして給油中の給油ノズルの保持とレバーの操作が行われるため、「ヌルヌル」した感じや「ベタベタ」した感じの気持ち悪さや不快感はなくなり、また素手を汚さずに雑菌も付着しないため、給油作業が終わった後気持ちよく爽快な気分で車の運転ができる。
【発明を実施するための最良の形態】
【００１１】
以下、図１に基づいて説明していくこととする。
（イ）給油作業を行う場合、車の給油口の蓋を開けたり閉めたりする必要があるが、この場合に使用する手袋は５指の手袋を使用するのが最良であるが上記「発明が解決しようとする課題」の（イ）・（ロ）に記載した理由により５指の手袋を揃えることは難しいと思われる。したがって給油口の蓋の開け閉めが容易に出来る手袋としては、５指を差し入れる部分において親指が入る親指袋部（１）と人差し指が入る人差し指袋部（２）そして中指・薬指・小指の３本の指が一体として入る３指袋部（３）があれば可能である。またミトンの手袋では給油口の蓋のスムーズな開閉はできない。
【００１２】
（ロ）次に給油ノズルを車の給油口に差し込み、給油中は給油ノズルを保持しさらにレバーで給油量を調節していなければならない。給油ノズルの種類によっては、レバーを必ず人差し指で操作しなければならないものもある。したがって給油ノズルの保持とレバーによる給油量の調節が容易に出来る手袋としては５指の手袋を使用するのが最良であるが上記「発明が解決しようとする課題」の（イ）・（ロ）に記載した理由により５指の手袋を揃えることは難しい。しかし５指を差し入れる部分において親指が入る親指袋部（１）と人差し指が入る人差し指袋部（２）そして中指・薬指・小指の３本の指が一体として入る３指袋部（３）があれば可能である。またミトンの手袋ではレバーによる給油量の調節が難しい。
【００１３】
（ハ）またガソリンスタンドでは最初にお金の支払い方法を選択しなければならないが、各種カードや現金の支払い方法がありどの方法を選択してもカードや現金を専用の投入口に入れなければならない。そのときカードや現金を財布から親指と人差し指で摘み出して専用の投入口に入れなければならない。したがってお金を支払う場合には親指と人差し指が必要であり、その場合に使用する手袋は５指の手袋を使用するのが最良であるが上記「発明が解決しようとする課題」の（イ）・（ロ）に記載した理由により５指の手袋を揃えることは難しい。しかし５指を差し入れる部分において親指が入る親指袋部（１）と人差し指が入る人差し指袋部（２）そして中指・薬指・小指の３本の指が一体として入る３指袋部（３）があれば可能である。またミトンの手袋を使用した場合には財布からカードや現金を摘まみ出せないし、また投入口にもスムーズに投入できない。
【００１４】
（ニ）給油する場合、最初にお金の支払い方法や油種を選択するため、ボタンや画面を手で触らなければならないし、また静電気除去シートにも手で触れなければならない。そのボタンや画面または静電気除去シートは不特定多数の人が触るため不潔であり素手で触るよりは導電性のある手袋を着用して触ることが望ましい。
このようにガソリンスタンドで使用する手袋は５指の手袋とミトンの手袋の両方の手袋の利点を取り入れて、５指を差し入れる部分において親指が入る親指袋部（１）と人差し指が入る人差し指袋部（２）そして中指・薬指・小指の３本の指が一体として入る３指袋部（３）からなる手袋が最適といえる。
【産業上の利用可能性】
【００１５】
毎日、不特定多数の人が頻繁に使用するガソリンスタンドの給油ノズルがほとんど清掃もされず利用者は不潔な給油ノズルであっても我慢を強いられて素手で給油を行っているのが現状である。ガソリンスタンドによっては抗菌給油ノズルを備えているところもあるがこれだけ頻繁に使用していれば抗菌の機能も減少する。たとえ抗菌できたとしても不特定多数の人が触った直後の給油ノズルをそのまま素手で触ることは気持ち悪いと感じている人も多いと思われる。その解決策としては使用者が給油前に手袋を着用する方法しかない。私たちの現在の生活はできるだけ清潔を保ち抗菌対応の日用品もあるなかで暮らしているため、給油作業が不潔な作業であるという感触を抱いている人は多数いると思われる。したがって給油する人すべてに手袋を提供するのではなく清潔に給油作業を行いたいという人に手袋を提供すればよいと思われる。今後、利用者に一層のサービス向上を行うためには、給油前に手袋を提供することであり手袋の需要は大きいと思われる。
【図面の簡単な説明】
【００１６】
【図１】本発明の平面図
【符号の説明】
【００１７】
１  親指袋部      
２  人差し指袋部      
３  ３指袋部
【図１】
2009167577.tif 000003